(57)【要約】      （修正有）【課題】目地を介して隣合う建造物が目地長手方向に相対変位した場合に、両建造物間の通路に隙間が生じず、該隙間による通行障害を防止し得る床用目地カバー装置を提案する。【解決手段】一方の建造物８１の床８５の側縁に保持手段を介して目地長手方向に移動可能に保持されるカバー体２の自由端部が、他方の建造物８２の床８６の側縁に配設された摺動受枠体２１の摺動空隙内に、摺動可能に挿入されてなるものであって、カバー体２を覆うように配設され、一端縁４１ｂが一方の床８５の側縁に連結され且つ他端部が摺動空隙内に摺動可能に挿入される目地部カバー板４１を備える。【選択図】図８
2019094637.tif 000002
【特許請求の範囲】
【請求項１】
隣接する建造物の床相互間の目地に差し渡されるカバー体の一端を、一方の床の側縁に、保持手段を介して目地幅方向に移動不能かつ目地長手方向に移動可能に保持すると共に、該カバー体の他端部を自由端部とする一方、他方の床の側縁に、水平受板と、該水平受板の上方に対設されて該水平受板の外端に一端縁が連結された床部カバー板とを備え、該床部カバー板と水平受板との間を、前記カバー体の自由端部が摺動可能に挿入される摺動空隙とする摺動受枠体が配設されてなる床用目地カバー装置において、
前記カバー体を覆うように配設され、一端縁が前記一方の床の側縁に連結され且つ他端部が前記摺動空隙内に摺動可能に挿入される目地部カバー板を備えてなるものであることを特徴とする床用目地カバー装置。
【請求項２】
隣接する建造物の床相互間の目地に差し渡されるカバー体の一端を、一方の床の側縁に、保持手段を介して目地幅方向に移動不能かつ目地長手方向に移動可能に保持すると共に、該カバー体の他端部を自由端部とする一方、他方の床の側縁に、水平受板と、該水平受板の上方に対設されて該水平受板の外端に一端縁が連結された床部カバー板とを備え、該床部カバー板と水平受板との間を、前記カバー体の自由端部が摺動可能に挿入される摺動空隙とする摺動受枠体が配設されてなる床用目地カバー装置において、
前記カバー体を覆うように配設され、一端縁が前記一方の床の側縁に連結され且つ他端部が前記床部カバー板に摺動可能に乗載される目地部カバー板を備えてなるものであることを特徴とする床用目地カバー装置。
【請求項３】
摺動受枠体は、水平受板の、目地長手方向の両側端に夫々立設され、摺動空隙に挿入された前記カバー体の自由端部を該目地長手方向に移動不能とする側壁を備え、
目地部カバー板が、前記側壁の上方に位置するように配設されていることを特徴とする請求項１又は請求項２に記載の床用目地カバー装置。
【請求項４】
摺動受枠体は、両側壁の側方に、目地部カバー板の少なくとも側部を入出可能な退避空域を夫々備えたものであることを特徴とする請求項３に記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
近年、地震による被害を最小限に留めるために、緩衝機能を備えた免震装置によって下部を支持した建造物が多く建設されている。こうした免震構造の建造物間には、地震による変位を吸収し得る比較的広幅の目地が形成されており、かかる目地を覆う床用目地カバー装置が配設されている。
【０００３】
こうした床用目地カバー装置として、例えば、特許文献１の構成が、本願出願人によって先に提案されている。かかる床用目地カバー装置２０１は、図１３，１４に示すように、建造物８１の床８５と、該床８５に目地８３を介して隣接する建造物８２の床８６との間に差し渡されて該目地８３を覆うカバー体２０２の一端縁２０２ｂを、前記床８５の側縁に保持手段２０６を介して目地幅方向に移動不能かつ目地長手方向に移動可能に保持し、該カバー体２０２の他端部２０２ａを自由端部とする一方、前記建造物８２の床８６の側縁に、該カバー体２０２の自由端部２０２ａを摺動可能に挿入する摺動空隙２２０を備えた摺動受枠体２１１が配設されてなる。ここで、摺動受枠体２１１は、水平受板２１２と、該水平受板２１２に対設されて該水平受板２１２の外端に一端縁２１３ａが連結された端部カバー板２１３とを備え、該水平受板２１２と端部カバー板２１３との間に、前記摺動空隙２２０を形成してなるものであり、該端部カバー板２１３によって該摺動空隙２２０の上方を遮蔽するように構成されている。また、前記保持手段２０６としては、カバー体２０２の一端縁２０２ｂに配設されたスライダー２０７と、前記建造物８１の床８５の側縁に配設されて、該スライダー２０７を目地長手方向に摺動可能に支持するレール部材２０８とによって構成されている。
【０００４】
こうした床用目地カバー装置２０１は、地震の際に、建造物８１と建造物８２とが目地幅方向に相対変位すると、カバー体２０２の自由端部２０２ａが摺動空隙２２０内を摺動して該目地幅方向の相対変位に追従する。一方、地震の際に、建造物８１と建造物８２とが目地長手方向に相対変位すると、レール部材２０８に支持されたスライダー２０７の摺動作用を介して、カバー体２０２の一端縁２０２ｂが該建造物８１の床８５の側縁に沿って目地長手方向に摺動して、該目地長手方向の相対変位に追従する（図１４参照）。
【先行技術文献】
【特許文献】
【０００５】
【特許文献１】特開２０１１−２３１５２７号公報
【発明の概要】
【発明が解決しようとする課題】
【０００６】
ところで、上述した特許文献１の従来構成にあっては、建造物８１と建造物８２とを連絡する通路に配設され、カバー体２０２が目地８３を遮蔽することによって、該通路を構成している。ここで、通路には、図１４（Ａ）に示すように、建造物８１側の壁８７，８７と、建造物８２側の壁８８，８８とが設けられると共に、互いに対向する壁８７，８８同士に連結された壁カバー体８９，８９が配設されている。壁カバー体８９は、目地幅方向に伸縮可能な構成であり、かつ壁８７，８８に傾動可能に連結されていることから、前記した目地幅方向への相対変位と目地長手方向への相対変位とに追従できる。
【０００７】
こうした通路に配設された構成にあって、建造物８１と建造物８２とが目地幅方向に相対変位すると、上記のように該相対変位に追従することから、前記通路を、カバー体２０２により目地８３を遮蔽した状態で保ち得る。一方、地震の際に建造物８１と建造物８２とが目地長手方向に相対変位すると、図１４（Ｂ）に示すように、カバー体２０２が該建造物８２に追従して目地長手方向に変位することから、該建造物８１に対するカバー体２０２の変位によって、前記通路に、該カバー体２０２により遮蔽されずに上方開口する隙間２３０が生じてしまう。こうした隙間２３０が生ずると、歩行者が躓いたり、靴の踵が嵌まったりする等の虞があり、通行の障害となることが懸念される。
【０００８】
本発明は、両建造物が目地長手方向に相対変位した場合にも、両建造物間の通路に隙間を生じず、該隙間による通行障害を防止し得る床用目地カバー装置を提案するものである。
【課題を解決するための手段】
【０００９】
本発明の第一発明は、隣接する建造物の床相互間の目地に差し渡されるカバー体の一端を、一方の床の側縁に、保持手段を介して目地幅方向に移動不能かつ目地長手方向に移動可能に保持すると共に、該カバー体の他端部を自由端部とする一方、他方の床の側縁に、水平受板と、該水平受板の上方に対設されて該水平受板の外端に一端縁が連結された床部カバー板とを備え、該床部カバー板と水平受板との間を、前記カバー体の自由端部が摺動可能に挿入される摺動空隙とする摺動受枠体が配設されてなる床用目地カバー装置において、前記カバー体を覆うように配設され、一端縁が前記一方の床の側縁に連結され且つ他端部が前記摺動空隙内に摺動可能に挿入される目地部カバー板を備えてなるものであることを特徴とする床用目地カバー装置である。
【００１０】
また、本発明の第二発明は、隣接する建造物の床相互間の目地に差し渡されるカバー体の一端を、一方の床の側縁に、保持手段を介して目地幅方向に移動不能かつ目地長手方向に移動可能に保持すると共に、該カバー体の他端部を自由端部とする一方、他方の床の側縁に、水平受板と、該水平受板の上方に対設されて該水平受板の外端に一端縁が連結された床部カバー板とを備え、該床部カバー板と水平受板との間を、前記カバー体の自由端部が摺動可能に挿入される摺動空隙とする摺動受枠体が配設されてなる床用目地カバー装置において、前記カバー体を覆うように配設され、一端縁が前記一方の床の側縁に連結され且つ他端部が前記床部カバー板に摺動可能に乗載される目地部カバー板を備えてなるものであることを特徴とする床用目地カバー装置である。
【００１１】
かかる第一および第二発明の構成にあっては、カバー体の一端を保持手段を介して保持する一方の床の側縁に、該カバー体を覆う目地部カバー板が連結されたものであるから、地震の際に両建造物が目地長手方向に相対変位すると、該カバー体が他方の建造物に追従して変位し、目地部カバー板が一方の建造物に追従して変位する。これにより、前記目地長手方向に相対変位した際に、目地上部の、カバー体により遮蔽されない領域を、目地部カバー板により遮蔽できることから、上述した従来構成にように通路に隙間が生じてしまうことを、本構成によれば防止でき得る。したがって、第一および第二発明の構成によれば、両建造物が目地長手方向に相対変位した場合にも、両建造物を連絡する通路に隙間を生じず、該隙間による通行障害を防止できる。
【００１２】
上述した第一および第二発明の床用目地カバー装置にあって、摺動受枠体は、水平受板の、目地長手方向の両側端に夫々立設され、摺動空隙に挿入された前記カバー体の自由端部を該目地長手方向に移動不能とする側壁を備え、目地部カバー板が、前記側壁の上方に位置するように配設されている構成が提案される。
【００１３】
かかる構成にあっては、側壁により、カバー体を摺動受枠体に対して目地長手方向へ移動不能とすることから、地震の際に両建造物が目地長手方向に相対変位した場合に、該カバー体が摺動受枠体と一体的に該目地長手方向へ変位する。これにより、カバー体の目地長手方向へ変位が安定するため、該カバー体を該目地長手方向への相対変位に安定かつ適正に追従させ得る。
【００１４】
さらに、本構成では、目地部カバー板が側壁よりも上方位置に配設されていることから、両建造物が目地長手方向に相対変位した場合に、摺動受枠体に対する該目地部カバー板の変位が、該側壁に妨げられることなく、スムーズ且つ安定して実行され得る。したがって、本構成によれば、両建造物を連絡する通路に隙間を生じることを防ぐという、本発明の作用効果が、一層安定して発揮される。
【００１５】
上述した本発明の床用目地カバー装置にあって、摺動受枠体は、両側壁の側方に、目地部カバー板の少なくとも側部を入出可能な退避空域を夫々備えたものである構成が提案される。
【００１６】
かかる構成にあっては、両建造物が目地長手方向に相対変位した際に、カバー体および摺動受枠体に対して変位する目地部カバー板の側部が、退避空隙内に進入でき、該目地部カバー板をスムーズに変位させ得る。また、本構成は、両側端に壁を有する通路に配設される場合に、前記目地長手方向に相対変位すると、該相対変位に応じて目地部カバー板が退避空隙に入出できる。こうした壁を有する通路にも、本構成を配設でき、目地長手方向への相対変位に従って、該目地カバー板の変位を安定かつスムーズに実行できる。
【発明の効果】
【００１７】
本発明の床用目地カバー装置は、目地を介して隣接する両建造物が目地長手方向に相対変位した際に、カバー体が他方の建造物に追従して変位し且つ目地部カバー板が一方の建造物に追従して変位することから、目地上部の、カバー体により遮蔽されない領域を、目地部カバー板により遮蔽できる。したがって、本発明の構成によれば、両建造物が目地長手方向に相対変位した場合にも、両建造物を連絡する通路に隙間を生じず、該隙間による通行障害を防止できる。
【図面の簡単な説明】
【００１８】
【図１】実施例１の床用目地カバー装置１の常態（施工状態）を示す縦断面図である。
【図２】カバー体２と摺動受枠体２１および保持構造６とを示す平面図である。
【図３】カバー体２の自由端部２ａを示す拡大縦断面図である。
【図４】図２のＸ−Ｘ線断面図である。
【図５】水平受板２２、カバー体２、目地部カバー板４１、および床部カバー板２３を分解して示す斜視図である。
【図６】隣合う建造物８１，８２が常態から近接する方向へ相対変位した態様を説明する縦断面図である。
【図７】同上の近接する方向へ相対変位した態様を説明する平面図である。
【図８】隣合う建造物８１，８２が常態から左右方向（目地長手方向）へ相対変位した態様を説明する平面図である。
【図９】実施例２の床用目地カバー装置１０１の常態を示す縦断面図である。
【図１０】カバー体１０２と摺動受枠体２１および保持構造６とを示す平面図である。
【図１１】水平受板２２、カバー体１０２、目地部カバー板１４１、および床部カバー板２３を分解して示す斜視図である。
【図１２】実施例２における、隣合う建造物８１，８２が常態から左右方向へ相対変位した態様を説明する平面図である。
【図１３】従来の床用目地カバー装置２０１の常態を示す縦断面図である。
【図１４】従来の床用目地カバー装置２０１の、（Ａ）常態を示す平面図と、（Ｂ）隣合う建造物８１，８２が目地長手方向へ相対変位した態様を説明する平面図である。
【発明を実施するための形態】
【実施例１】
【００１９】
本発明にかかる実施例１を、添付図面を用いて説明する。
床用目地カバー装置１は、図１，２に示すように、隣接する建造物８１，８２間に設けられた目地８３に配設されるものであり、両建造物８１，８２を連絡する通路を構成する。建造物８１，８２はそれぞれ、緩衝機能を備えた免震装置（図示せず）によって下部が支持された免震構造の建造物である。目地８３は、建造物８１と建造物８２との間に所定幅で形成され、地震の際に建造物８１と建造物８２との水平方向の相対的な揺れを吸収し得るようになっている。
【００２０】
尚、本実施例では、目地８３の幅方向を、床用目地カバー装置１の前後方向とし、目地８３に沿った長手方向を、床用目地カバー装置１の左右方向として説明する。すなわち、本実施例の前後方向が、本発明の目地幅方向に相当し、左右方向が、本発明の目地長手方向に相当する。
【００２１】
上記建造物８２の床８６の側縁には、前後方向（目地８３の幅方向）に比較的長い鋼板からなる矩形状の水平受板２２と、該水平受板２２の上方を覆う鋼板からなる矩形状の床部カバー板２３とを備えた摺動受枠体２１が配設されている。水平受板２２と床部カバー板２３とは、後述するカバー体２の自由端部２ａに目地部カバー板４１を重ねた状態の厚みと略一致する間隔で、上下に対設されている。そして、水平受板２２と床部カバー板２３との間に形成された空隙を、前記カバー体２の自由端部２ａと目地部カバー板４１の前端部とが摺動可能に挿入される摺動空隙３０としている。また、水平受板２２には、その前端から立ち上がる支持壁２５と、左右の両側端から夫々立ち上がる側壁２６，２６とが設けられており、該支持壁２５に床部カバー板２３の前端縁が螺子（図示せず）により連結されている。そして、床部カバー板２３は、建造物８２の床８６と略同一の高さとなるように配設されている。
【００２２】
摺動受枠体２１は、図２に示すように、摺動空隙３０を、カバー体２の挿入状態で該カバー体２の左右幅に対応する所定幅とするように形成してなる。床部カバー板２３は、比較的薄い厚みの鋼板により形成されており、前記のように前端縁が支持壁２５に傾動不能に連結された状態で、後端側（目地側）が塑性変形を生じない範囲で弾性変形によって面方向に湾曲し得るものである。
【００２３】
上記建造物８１の床８５と建造物８２の床８６との間には、カバー体２が差し渡されて、目地８３を覆っている。カバー体２は、図１に示すように、後端２ｂの下部が建造物８１の床８５の側縁に保持構造６を介して保持され、前端部を上記の自由端部２ａとしており、該自由端部２ａが、上記摺動受枠体２１の摺動空隙３０内に挿入された状態で、水平受板２２上に摺動可能に乗載される。そして、カバー体２の自由端部２ａが摺動空隙３０内に挿入された状態で、水平受板２２の上記側壁２６，２６が該カバー体２の側縁と夫々当接することによって、該カバー体２の自由端部２ａが摺動受枠体２１に対して左右方向に移動不能に位置規制されている。これにより、カバー体２は、自由端部２ａが建造物８２側において前後方向にのみ摺動し得るようになっている。
【００２４】
上記の保持構造６は、カバー体２の後端２ｂの下部に配設されたスライダー７と、建造物８１の床８５の側縁に配設されて該スライダー７を左右方向に摺動可能に支持するレール部材８とにより構成される。レール部材８は、図５に示すように、建造物８１の床８５の側縁に当接した状態で保持される垂直縁部８ａと、該垂直縁部８ａの下端から前方へ延出された受縁部８ｂと、該受縁部８ｂの前端から上方へ延出された係止縁部８ｃとを備え、さらに、該係止縁部８ｃの上端から後方に向けて上方傾斜する抜け止め縁部８ｄが設けられており（図１参照）、該抜け止め縁部８ｄと垂直縁部８ａとの間で上方開放されている。さらに、本実施例のレール部材８は、垂直縁部８ａの上端から後方へ延出された水平縁部８ｅを備え、該水平縁部８ｅが床８５の側縁上に載置される。尚、本実施例にあっては、レール部材８が、金属板を曲げ加工することにより一体形成されている。
一方、スライダー７は、カバー体２の後端２ｂから垂設された延成縁部７ａと、該延成縁部７ａの下端から前方へ延出された摺動縁部７ｂとからなる断面略Ｌ形に形成されたものである。摺動縁部７ｂは、その前後幅が、前記レール部材８の抜け止め縁部８ｄの上端と垂直縁部８ａとの前後間隔よりも若干広く、スライダー７を少し傾けることにより挿通できる。そして、摺動縁部７ｂは、前記レール部材８の受縁部８ｂに支承される。こうしてレール部材８にスライダー７が取り付けられた状態では、地震等によりスライダー７が上下動しても、摺動縁部７ｂが抜け止め縁部８ｄに下方から衝当することにより抜止作用が得られ、該スライダー７がレール部材８から容易に外れてしまうことが防止される。尚、本実施例にあっては、スライダー７が、カバー体２の天板１１の後端縁を下方へ延出させることにより、該天板１１と一体形成されたものである。
【００２５】
こうした保持構造６は、レール部材８が、その受縁部８ｂにスライダー７の摺動縁部７ｂを支承することにより、該スライダー７を左右方向に摺動可能に支持するものであり、該スライダー７を左右方向に案内するガイド作用を有する。そして、レール部材８は、スライダー７を左右方向に摺動し得るように所定の長さに形成されている。尚、レール部材８とスライダー７とは、該レール部材８がスライダー７を支持した状態で、カバー体２の後端側の上面が建造物８１の床８５の上面と略面一となるように、寸法形状や取付位置などが設定されている。
【００２６】
また、前記の摺動受枠体２１には、摺動空隙３０内に、前後方向に伸縮可能に構成された伸縮性支持杆３１が、左右方向に所定間隔をおいて複数配設されており、伸縮性支持杆３１によって、前記床部カバー板２３を下方から支持している。伸縮性支持杆３１は、所定長さの角パイプを、隣合うもの同士が前後方向に相対変位可能とするように、夫々連結してなるものであり、摺動受枠体２１の前端部とカバー体２の前端とに夫々連結される。このように配設された各伸縮性支持杆３１は、カバー体２の前後方向への摺動に伴って伸縮する。尚、伸縮性支持杆３１は、最も伸長された状態における前後方向の長さが、摺動空隙３０の前後方向の長さとほぼ同じとなるように設定されている。
【００２７】
こうした床用目地カバー装置１は、地震の無い常態で、図１，２に示すように、カバー体２の自由端部２ａが水平受板２２（摺動空隙３０）の中央よりも目地８３寄りの位置まで摺動空隙３０内に挿入されている。これにより、地震の際に、建造物８１，８２が前後方向に相対変位すると、カバー体２の自由端部２ａが摺動空隙３０内で前後方向に摺動することにより、該相対変位に追従できる。
【００２８】
尚、本実施例では、前述したように、床用目地カバー装置１が両建造物８１，８２を連絡する通路を構成しており、該通路の両側に壁が設けられている。詳述すると、建造物８１には、図４，７，８に示すように、通路の床８５の両側縁から起立する壁８７，８７が設けられると共に、建造物８２には、通路の床８５の両側縁から起立する壁８８，８８が設けられており、さらに、目地８３を介して対向する壁８７と壁８８とに連結された壁カバー体８９が、床用目地カバー装置１の左右両側に夫々設けられている。この壁カバー体８９は、目地８３の幅方向（前後方向）に伸縮可能な構成であると共に、壁８７，８８に対して傾動可能に連結されている。これにより、地震の際に、両建造物８１，８２が前後方向や左右方向に相対変位すると、図７，８に示すように、該変位に追従して伸縮および傾動することにより、該変位を吸収できる。
【００２９】
次に本発明の要部について説明する。
カバー体２は、図２，４に示すように、矩形状の天板１１と該天板１１の下面に接合された複数の補強杆１２とにより構成されている。補強杆１２は、図示しない底板部と該底板部の両側縁から起立する一対の側板部とからなる断面コ字形に形成され、両側板部の上端が天板１１の下面に溶接されている。複数の補強杆１２は、天板１１の左右方向に間隔をおいて並設されている。ここで、図３に示すように、各補強杆１２の側板部は、その上端縁が、常態で前記摺動受枠体２１の水平受板２２に乗載される前側部分を、後側部分に比して前記の床部カバー板２３の厚み分だけ低くするように形成されている。そして、天板１１には、前記側板部の上端縁の後側部分と前側部分との境界に対応する部位に、該後側から前側へ下方傾斜する傾斜部１１ａが左右方向に亘って形成されている。また、天板１１の前端には、前記した伸縮性支持杆３１と連結される連結部１１ｂが、該伸縮性支持杆３１と同数設けられている。さらに、天板１１の後端は、下方に延出されて、前記したスライダー７の延成縁部７ａが連成されている。
【００３０】
床用目地カバー装置１は、上述のカバー体２を覆う目地部カバー板４１を備え、目地部カバー板４１が、図１〜５に示すように、該カバー体２の天板１１上に摺動可能に乗載される。目地部カバー板４１は、該カバー体２の天板１１よりも前後方向と左右方向との各長さが少し長い矩形状を成し、該目地部カバー板４１の後端縁４１ｂが、上記したレール部材８の水平縁部８ｅに乗載されて、図示しない螺子により該水平縁部８ｅを介して建造物８１の床８５に連結される。これにより、目地部カバー板４１は、地震の際に、建造物８１と一体的に前後方向および左右方向に動く。
【００３１】
こうした目地部カバー板４１には、天板１１に乗載された状態で、該天板１１の傾斜部１１ａに対応する部位に、該傾斜部１１ａに倣う傾斜被覆部４１ａが左右方向に亘って形成されている。そして、目地部カバー板４１は、傾斜被覆部４１ａよりも後側の非挿入部４２が、前記天板１１の後側部分に乗載され、かつ該傾斜被覆部４１ａよりも前側の挿入部４３が、該天板１１の前側部分に乗載される。これにより、目地部カバー板４１は、カバー体２の天板１１の上面に全体的に接触して乗載される。ここで、目地部カバー板４１が、天板１１の上面に倣うように乗載されるものであることから、該目地部カバー板４１の前側の上面と後側の上面との高さ差が、床部カバー板２３の厚み分に相当する。
【００３２】
上述したカバー体２と目地部カバー板４１とが重ねられて摺動受枠体２１の摺動空隙３０に挿入された常態で、床部カバー板２３の後端が、該目地部カバー板４１の傾斜被覆部４１ａの直前位置に配置される。これにより、床部カバー板２３の上面と目地部カバー板４１の上面とが同じ高さ位置となる。
【００３３】
さらに、本実施例１にあって、床部カバー板２３には、その後端縁に、帯状の鋼板からなる遮蔽板３５が溶接を介して接合されている。この遮蔽板３５は、床部カバー板２３の後端から後方へ突出され、目地部カバー板４１の傾斜被覆部４１ａの上方を遮蔽して、該目地部カバー板４１の非挿入部４２の上面に乗載される。また、床部カバー板２３上には、前記遮蔽板３５よりも前側全域に、図示しない化粧シートが被着されており、該遮蔽板３５が該化粧シートの端縁の見切り材の役割も有している。これら遮蔽板３５と化粧シートとは、略同じ厚みである。
【００３４】
一方、目地部カバー板４１には、非挿入部４２の上面の前縁に、上記床部カバー板２３の遮蔽板３５と対向させて見切り板４５が配設されている。そして、非挿入部４２の上面には、前記見切り板４５よりも後側全域に、図示しない化粧シートが被着されている。見切り板４５は、前記化粧シートと略同じ厚みで帯状の鋼板からなり、さらに、上記した遮蔽板３５とも略同じ厚みである。これにより、床部カバー板２３と目地部カバー板４１とは、夫々の化粧シートの上面が略同じ高さとなっている。
【００３５】
尚、上記の遮蔽板３５は、後端縁に、下面から後方へ向けて昇り勾配で傾斜する傾斜面（図示せず）が形成されていると共に、上記の見切り板４５は、前端縁に、該遮蔽板３５の傾斜面と同方向に傾斜する傾斜面（図示せず）が形成されている。これにより、地震の際に建造物８１，８２が近接する方向に相対変位した場合に、遮蔽板３５が見切り板４５上に容易に乗り上げることができる（図６参照）。
【００３６】
また、前記の摺動受枠体２１は、その側壁２６，２６の高さが、図４に示すように、水平受板２２上に乗載された前記カバー体２の自由端部２ａの厚みと略同じ（又は該厚みより低く）である。これにより、前記摺動空隙３０に、カバー体２の自由端部２ａと目地部カバー板４１の挿入部４３とを挿入した状態で、該目地部カバー板４１が、側壁２６，２６よりも上方に位置している。さらに、側壁２６，２６の左右両側方に、上記の目地部カバー板４１の側部を入出可能な退避空域２８，２８が夫々設けられており、各退避空域２８，２８が、側壁２６，２６上で内方に夫々開口する。退避空域２８には、両建造物８１，８２が左右方向に相対変位した場合に、該変位に応じて目地部カバー板４１が入出できる（図８参照）。尚、本実施例にあって、退避空域２８は、左右方向の長さが、目地部カバー板４１の左右幅の略半分となるように設定されている。
【００３７】
次に、上述した床用目地カバー装置１の作動態様について説明する。
図６，７に示すように、地震の際に建造物８１と建造物８２とが離間する方向（前後方向）に相対変位すると、該建造物８１に連結されたカバー体２の自由端部２ａと目地部カバー板４１の挿入部４３とが摺動空隙３０内で前方へ摺動して、該相対変位に追従する。このときに、床部カバー板２３の後端部（および遮蔽板３５）が目地部カバー板４１の非挿入部４２上に乗り上げる。また、建造物８１と建造物８２との間に配設された壁カバー体８９も、前記相対変位に従って前後方向に伸縮して、該相対変位に追従する（図示せず）。こうした前後方向の相対変位によっても、左右の壁８７，８８間と左右の壁カバー体８９間とによる通路が、安定して保たれ得る。
【００３８】
また、図８に示すように、地震の際に建造物８１と建造物８２とが左右方向に相対変位すると、カバー体２の自由端部２ａが摺動受枠体２１の側壁２６，２６によって位置規制されていることにより、該カバー体２の後端２ｂが、レール部材８に支持されたスライダー７の摺動作用を介して左右方向に摺動する。これにより、カバー体２が建造物８１に対して左右方向に摺動して、該カバー体２を前記左右方向の相対変位に追従させ得る。このようにカバー体２が建造物８２（摺動受枠体２１および床部カバー板２３）と一体的に左右方向に変位することに対して、目地部カバー板４１は、その後端縁４１ｂが建造物８１に連結されていることから、該建造物８１と一体的に左右方向に変位する。このようにカバー体２と目地部カバー板４１とは、建造物８１，８２と同様に左右方向に相対変位する。そして、この相対変位により、カバー体２と目地部カバー板４１とで目地８３を遮蔽する左右方向の遮蔽幅が、常態（図２参照）に比して広くなる。
さらに、両建造物８１，８２が左右方向に相対変位すると、通路を構成する壁カバー体８９，８９が傾動して追従することから、該壁カバー体８９，８９間の通路が、該相対変位に応じて左右方向にずれる。こうした目地８３上で通路がずれた状態でも、前述したようにカバー体２と目地部カバー板４１とで目地８３を幅広く遮蔽できることから、該通路上に隙間が生ずることを防止できる。
ここで、図１３，１４に示す従来構成は、前述したように、目地部カバー板４１の無い構成であるから、両建造物８１，８２が左右方向に相対変位した場合に、壁カバー体８９，８９間の通路上にカバー体２０２で遮蔽されない隙間２３０が生ずる（図１４（Ｂ）参照）。この隙間によって、歩行者が躓いたり、靴の踵が嵌まったりする等の虞があり、通行の障害となり得る。
こうした従来構成に比して、本実施例１の構成は、前述したように、壁カバー体８９，８９間の通路上に隙間を生じないことから（図８参照）、前記通行障害を防止できる。
【００３９】
また、本実施例１の構成は、両建造物８１，８２が左右方向に相対変位した場合に、目地部カバー板４１が、摺動受枠体２１の左右両側に配設した退避空域２８，２８に入出できることから、カバー体２に対して左右方向へスムーズに摺動できる。これにより、左右両側に壁８８，８８が設けられた構造の通路であっても、上述した通行障害を防止できるという作用効果が安定かつ正確に発揮され得る。
【実施例２】
【００４０】
実施例２の床用目地カバー装置１０１は、図９〜１１に示すように、目地部カバー板１４１の前端部１４１ａが床部カバー板２３上に摺動可能に乗載された構成である。本実施例２の構成は、上述した実施例１と同様に、目地８３を介して隣接する建造物８１，８２を連絡する通路を構成するものであり、該目地８３に差し渡されるカバー体１０２と、該カバー体１０２の自由端部１０２ａが摺動可能に挿入される摺動空隙３０を有する摺動受枠体２１とを備えてなる。
【００４１】
カバー体１０２は、天板１１１と複数の補強杆（図示せず）とにより構成され、該補強杆が、天板１１１の左右方向に間隔をおいて並設されている。ここで、補強杆は、図示しない底板部と一対の側板部とからなる断面コ字形に形成され、両側板部の上端が天板１１１の下面に溶接されている。本実施例２の補強杆は、側板部が長手方向（前後方向）に亘って同じ高さで形成されており、天板１１１は、平板状の鋼板により形成される。こうしたカバー体１０２の自由端部１０２ａが、摺動受枠体２１の摺動空隙３０に摺動可能に挿入される。この摺動空隙３０内には、上述した実施例１と同様に、複数の伸縮性支持杆３１が配設されており、カバー体１０２の前後方向への摺動に伴って各伸縮性支持杆３１が伸縮する。各伸縮性支持杆３１により支持される床部カバー板２３は、その前端縁が支持壁２５に連結され、後端部がカバー体１０２の上面に摺動可能に乗載される。
【００４２】
そして、カバー体１０２は、実施例１と同様に、その後端１０２ｂが、保持構造６を介して、建造物８１の床８５の側縁に保持される。保持構造６は、該床８５の側縁に配設されるレール部材８と、カバー体１０２の後端１０２ｂの下部に配設されたスライダー７とにより構成される。尚、カバー体１０２の天板１１１は、その後端縁を下方へ延出させて該スライダー７が連成されている。
【００４３】
本実施例２の目地部カバー板１４１は、平板状の鋼板により形成されてなり、その前端部１４１ａが、カバー体１０２の自由端部１０２ａに乗載された床部カバー板２３の上面に、摺動可能に乗載される。そして、目地部カバー板１４１の後端縁１４１ｂが、レール部材８の水平縁部８ｅに連結される。さらに、目地カバー板１４１の前端には、前方へ下り勾配で傾斜する傾斜端部１４２が形成されている。ここで、本実施例２にあって、目地部カバー板１４１は、その後端縁１４１ｂが、後述する伸縮性支持部材１３１の後端を介して、前記レール部材８の水平縁部８ｅに連結される。これにより、目地部カバー板１４１とカバー体１０２の天板１１１との間には、伸縮性支持部材１３１の厚み分の空隙１３０が形成される。
【００４４】
上記の空隙１３０内には、複数の伸縮性支持部材１３１が左右方向に間隔をおいて配設されており、該伸縮性支持部材１３１によって目地部カバー板１４１を下方から支持している。すなわち、目地部カバー板１４１は、前端部１４１ａが床部カバー板２３に乗載されて支持されると共に、該床部カバー板２３に乗載されない後部が前記伸縮性支持部材１３１により支持される。ここで、伸縮性支持部材１３１は、前後方向に伸縮可能に構成されたものであり、本実施例２にあっては、二本の短冊状板材を互いの中央部で枢結させた複数のリンク要素が、隣合うリンク要素の各短冊状板材の端部同士を夫々枢結させることにより前後方向に列設されて、パンタグラフ状に構成されてなる。そして、伸縮性支持部材１３１の後端が、上記したレール部材８の垂直縁部８ａと目地部カバー板１４１との間で回動可能に連結され、前端が、床部カバー板２３の後端に回動可能に連結されている。こうした伸縮性支持部材１３１は、カバー体２の前後方向への摺動に伴って伸縮すると共に、建造物８１に対する該カバー体２の左右方向への相対変位に伴って、左右方向に傾動および伸縮する。
【００４５】
尚、本実施例２にあっても、摺動受枠体２１は、両側壁２６，２６の外側方に、目地部カバー板１４１の側部を入出可能な退避空域２８，２８が夫々設けられている。また、目地部カバー板１４１の上面全域に、図示しない化粧シートが被着されていると共に、床部カバー板２３の上面全域に、図示しない化粧シートが被着されている。
本実施例２にあっては、上述した構成以外は実施例１と同じであることから、同じ構成要素については同じ符号を記し、重複する説明を適宜省略した。
【００４６】
上述した実施例２の床用目地カバー装置１０１にあっては、地震の際に建造物８１と建造物８２とが離近する方向（前後方向）に相対変位すると、該建造物８１に連結されたカバー体１０２の自由端部１０２ａが摺動空隙３０内で前後に摺動し且つ該建造物８２に連結された床部カバー板２３が空隙１３０内で前後に摺動して、該相対変位に追従する。そして、カバー体１０２の自由端部１０２ａの前記摺動に伴って、伸縮性支持杆３１が前後方向に伸縮作動して、床部カバー板２３の前端部を支持すると共に、該床部カバー板２３の前記摺動に伴って、伸縮性支持部材１３１が前後方向に伸縮作動して、目地部カバー板１４１の後部を支持する。
このように、本実施例２の構成にあっても、上述した実施例１と同様に、両建造物８１，８２が前後方向へ相対変位した場合に、左右の壁８７，８８間と左右の壁カバー体８９間とによる通路を、安定して保ち得る。
【００４７】
また、図１２に示すように、地震の際に建造物８１と建造物８２とが左右方向に相対変位すると、上述した実施例１と同様に、カバー体１０２が該建造物８１に対して左右方向に摺動し、該カバー体１０２を該相対変位に追従させ得る。そして、カバー体１０２と床部カバー板２３とが建造物８２と一体的に左右方向に変位することに対して、目地部カバー板１４１が建造物８１と一体的に左右方向に変位することから、カバー体１０２と目地部カバー板１４１とで目地８３を遮蔽する左右方向の遮蔽幅が、常態（図１０参照）に比して広くなる。したがって、本実施例２の構成にあっても、両建造物８１，８２が左右方向に相対変位した際に、壁カバー体８９，８９間の通路上に隙間を生じず、該隙間による通行障害を防止できる。
【００４８】
さらに、本実施例２は、上記左右方向に相対変位した場合に、伸縮性支持部材１３１が該相対変位に応じて傾動することによって、目地部カバー板１４１を安定して支持することができる。
【００４９】
尚、本実施例２の構成にあっても、上述した実施例１と同様に、両建造物８１，８２が左右方向に相対変位した場合に、目地部カバー板１４１が、摺動受枠体２１の左右両側に配設した退避空域２８，２８に入出でき、左右方向にスムーズに摺動できる。そのため、左右両側に壁８８，８８が設けられた構造の通路であっても、上述した通行障害を防止できるという作用効果が安定かつ正確に発揮され得る。
【００５０】
上述した実施例１，２にあって、スライダー７とレール部材８とからなる保持構造６が、本発明にかかる保持手段に相当する。また、床部カバー板２３の前端縁が、本発明にかかる床部カバー板の一端縁に相当し、本実施例では、該一端縁が、支持壁２５を介して水平受板２２の前端に連結されており、該前端が、本発明にかかる水平受縁の外端に相当する。また、実施例１にあって、目地部カバー板４１の後端縁４１ｂが、本発明にかかる目地部カバー板の一端縁に相当し、挿入部４３が、本発明にかかる目地カバー板の他端部に相当する。また、実施例２にあって、目地部カバー板１４１の前端部１４１ａが、本発明にかかる目地カバー板の他端部に相当し、後端縁１４１ｂが、本発明にかかる目地部カバー板の一端縁に相当する。
【００５１】
本発明にあっては、上述した実施例に限定されるものではなく、この実施例以外の構成についても本発明の趣旨の範囲内で適宜変更して実施可能である。
【符号の説明】
【００５２】
１，１０１  床用目地カバー装置
２，１０２  カバー体
２ａ，１０２ａ  自由端部
２１  摺動受枠体
２２  水平受板
２３  床部カバー板
２６  側壁
２８  退避空域
３０  摺動空隙
４１，１４１  目地部カバー板
８１，８２  建造物
８３  目地
８５，８６  床
【図１】
2019094637.tif 000003
【図２】
2019094637.tif 000004
【図３】
2019094637.tif 000005
【図４】
2019094637.tif 000006
【図５】
2019094637.tif 000007
【図６】
2019094637.tif 000008
【図７】
2019094637.tif 000009
【図８】
2019094637.tif 000010
【図９】
2019094637.tif 000011
【図１０】
2019094637.tif 000012
【図１１】
2019094637.tif 000013
【図１２】
2019094637.tif 000014
【図１３】
2019094637.tif 000015
【図１４】
2019094637.tif 000016